(57)【要約】【課題】２種類の波長に対応する光ピックアップ装置において、部品点数を増加せることなく高いＲＩＭ強度を確保でき、装置組立て時の作業負担を低減できる光ピックアップ装置を提供する。【解決手段】２種類の波長に対応する光ピックアップ装置１は、楕円形状の光強度分布を円形の光強度分布に近づけるとともに、入射したレーザ光を光記録媒体１１の記録面１１ａと略直交する方向へと導くビーム整形ミラー７を備える。ビーム整形ミラー７は、非平行な関係を有する入射面７ａと反射面７ｂとを有し、反射面７ｂには所定の等間隔の格子ピッチを有し、ビーム整形ミラー７に入射する平行光の入射方向と略直交する方向に延びる回折格子（図示せず）が形成されている。【選択図】図１
2008052825.tif 000002
【特許請求の範囲】
【請求項１】
異なる波長の光ビームを出射する２つの光源と、
前記光源から出射された光ビームを平行光に変換する平行光変換手段と、
非平行な関係の入射面と反射面とを有し、前記平行光を前記入射面から入射して前記反射面で反射することにより、前記光源から出射されて楕円形状の光強度分布を有する光ビームについて、その光強度分布を円形に近づけるビーム整形素子と、
前記ビーム整形素子の前記反射面によって反射された光ビームを光記録媒体の記録面に集光する集光手段と、
前記記録面で反射された反射光を受光する光検出手段と、
を備える光ピックアップ装置において、
前記ビーム整形素子の前記反射面には、所定の等間隔の格子ピッチを有し、前記ビーム整形素子に入射する前記平行光の入射方向と略直交する方向に延びる回折格子が形成され、
前記光源から出射される波長が異なる２種類の光ビームは前記回折格子によって回折されて、前記反射面で反射されて前記集光手段へと入射する前記２種類の光ビームの光軸の向きが略同一となることを特徴とする光ピックアップ装置。
【請求項２】
異なる波長の光ビームを出射する２つの光源と、
前記光源から出射された光ビームを平行光に変換する平行光変換手段と、
非平行な関係の入射面と反射面とを有し、前記平行光を前記入射面から入射して前記反射面で反射することにより、前記光源から出射されて楕円形状の光強度分布を有する光ビームについて、その光強度分布を円形に近づけるビーム整形素子と、
前記ビーム整形素子の前記反射面によって反射された光ビームを光記録媒体の記録面に集光する集光手段と、
前記記録面で反射された反射光を受光する光検出手段と、
を備える光ピックアップ装置において、
前記ビーム整形素子の前記反射面には回折格子が形成され、
前記光源から出射される波長が異なる２種類の光ビームのうち少なくとも一方は前記回折格子によって回折されて、前記反射面で反射されて前記集光手段へと入射する前記２種類の光ビームの光軸の向きが略同一となることを特徴とする光ピックアップ装置。
【請求項３】
前記回折格子は、所定の等間隔の格子ピッチを有し、前記ビーム整形素子に入射する前記平行光の入射方向と略直交する方向に延びることを特徴とする請求項２に記載の光ピックアップ装置。
【請求項４】
前記回折格子はブレーズ化されており、
前記２種類の光ビームのうちいずれか一方のみが前記回折格子によって回折されることを特徴とする請求項３に記載の光ピックアップ装置。
【請求項５】
前記２つの光源は一体化されて、略同一の位置から前記２種類の光ビームを出射することを特徴とする請求項２から４のいずれかに記載の光ピックアップ装置。
【発明の詳細な説明】
【技術分野】
【０００１】
本発明は、光記録媒体に光ビームを照射して情報の読取りや書込みを可能とする光ピックアップ装置に関し、特に光ピックアップ装置に備えられて、光ビームの光分布強度を変換するビーム整形素子の構成に関する。
【背景技術】
【０００２】
近年、コンパクトディスク（以下、ＣＤという。）やデジタル多用途ディスク（以下、ＤＶＤという。）といった光記録媒体が普及し、一般的に用いられるようになっている。そして、光記録媒体の情報量を増やすために、光記録媒体の高密度化に関する研究が進められ、例えば、ブルーレイディスク（以下、ＢＤという。）やＨＤ−ＤＶＤといった高密度化された光記録媒体も実用化されてきている。
【０００３】
このような光記録媒体の記録再生を行うにあたっては、光記録媒体に光ビームを照射して情報の読取りや情報の書込みを可能とする光ピックアップ装置が用いられるが、高密度化された光記録媒体に対応する場合、光ピックアップ装置においては、光記録媒体の記録面上に集光する光ビームのスポット径を小さくすることが要求される。
【０００４】
一般にスポット径の大きさは、対物レンズの開口数（ＮＡ）、光源波長（λ）、及びＲＩＭ強度によって決まる。このうち、対物レンズの開口数及び光源波長については、規格によってほぼ定まっている（例えばＢＤについては、ＮＡは０．８５、λは４０５ｎｍである。）ために、光記録媒体の記録面に集光する光ビームのスポット品質を良好なものとするにあたって、ＲＩＭ強度を十分確保することが重要である。なお、ＲＩＭ強度とは、対物レンズの入射瞳中の最大光強度に対する瞳端部における光強度の比のことである。
【０００５】
ところで、光ピックアップ装置に用いられる半導体レーザから出射される光ビームは、楕円状の光強度分布を有する。このため、特許文献１に示されるように半導体レーザから出射される光ビームを、プリズムや光ビームの入射面及び／又は出射面に回折格子が設けられたビーム整形素子を用いて円形状の光強度分布とし、ＲＩＭ強度を確保する手法が従来行われている。
【０００６】
しかし、プリズム等のビーム整形素子を用いてビーム整形を行う構成の場合、光学系の部品点数が多くなるために、光ピックアップ装置が大型化するといった問題や組立て時の作業負担が大きくなる等の問題がある。この点、特許文献２においては、入射面と反射面とを有し、前記入射面と前記反射面とが非平行な関係にあって、断面が楕円形状のファーフィールドパターンを有する光の実質上縦横比を変化させてビーム整形を行うビーム整形素子が提案されており、このビーム整形素子は、立ち上げミラーとしての機能も果たすために、光学系の部品点数を増加させずビーム整形を行うことが可能で有用である。
【特許文献１】特開２００３−１２１７８０号公報
【特許文献２】特開２００１−２７３６６５号公報
【発明の開示】
【発明が解決しようとする課題】
【０００７】
しかしながら、特許文献２に示されるビーム整形素子を複数波長に対応する光ピックアップ装置の光学系に配置する構成とした場合、図８に示すようにビーム整形素子を構成する硝材の色分散により、光ビームの波長の違いによってビーム整形素子を通過する際の屈折角度に差が生じ、ビーム整形素子で反射された反射光の光軸の向きが、光ビームの波長によって異なるという問題が発生する。
【０００８】
この点、特許文献２においては、異なる波長を出射する光源毎に、コリメートレンズ及びビーム整形素子へと入射する光ビームの光軸を異ならせることで、光ビームの波長が異なる場合でも、ビーム整形素子で立ち上げられる光ビームの方向を一致（光軸を一致）させることができるとしている。しかし、このような構成の場合、光ピックアップ装置を組立てる際の光軸調整作業について、作業負担が大きくなるといった問題がある。また、光ピックアップ装置の小型化を図るために、２種類の波長の光ビームを出射できるように２つの発光点を有する２波長対応のレーザダイオード（例えばモノリシック型やハイブリッド型の２波長レーザダイオード）を光源に使用する構成とする場合に、波長が異なる光ビームについて、ビーム整形素子で立ち上げられる光ビームの方向を一致させるのが非常に困難となるという問題がある。
【０００９】
以上の問題点を鑑みて、本発明の目的は、２種類の波長に対応する光ピックアップ装置において、部品点数を増加せることなく高いＲＩＭ強度を確保でき、装置組立て時の作業負担を低減できる光ピックアップ装置を提供することである。
【課題を解決するための手段】
【００１０】
上記目的を達成するために本発明は、異なる波長の光ビームを出射する２つの光源と、前記光源から出射された光ビームを平行光に変換する平行光変換手段と、非平行な関係の入射面と反射面とを有し、前記平行光を前記入射面から入射して前記反射面で反射することにより、前記光源から出射されて楕円形状の光強度分布を有する光ビームについて、その光強度分布を円形に近づけるビーム整形素子と、前記ビーム整形素子の前記反射面によって反射された光ビームを光記録媒体の記録面に集光する集光手段と、前記記録面で反射された反射光を受光する光検出手段と、を備える光ピックアップ装置において、前記ビーム整形素子の前記反射面には、所定の等間隔の格子ピッチを有し、前記ビーム整形素子に入射する前記平行光の入射方向と略直交する方向に延びる回折格子が形成され、前記光源から出射される波長が異なる２種類の光ビームは前記回折格子によって回折されて、前記反射面で反射されて前記集光手段へと入射する前記２種類の光ビームの光軸の向きが略同一となることを特徴としている。
【００１１】
また、上記目的を達成するために本発明は、異なる波長の光ビームを出射する２つの光源と、前記光源から出射された光ビームを平行光に変換する平行光変換手段と、非平行な関係の入射面と反射面とを有し、前記平行光を前記入射面から入射して前記反射面で反射することにより、前記光源から出射されて楕円形状の光強度分布を有する光ビームについて、その光強度分布を円形に近づけるビーム整形素子と、前記ビーム整形素子の前記反射面によって反射された光ビームを光記録媒体の記録面に集光する集光手段と、前記記録面で反射された反射光を受光する光検出手段と、を備える光ピックアップ装置において、前記ビーム整形素子の前記反射面には回折格子が形成され、前記光源から出射される波長が異なる２種類の光ビームのうち少なくとも一方は前記回折格子によって回折されて、前記反射面で反射されて前記集光手段へと入射する前記２種類の光ビームの光軸の向きが略同一となることを特徴としている。
【００１２】
また、本発明は、上記構成の光ピックアップ装置において、前記回折格子は、所定の等間隔の格子ピッチを有し、前記ビーム整形素子に入射する前記平行光の入射方向と略直交する方向に延びることを特徴としている。
【００１３】
また、本発明は、上記構成の光ピックアップ装置において、前記回折格子はブレーズ化されており、前記２種類の光ビームのうちいずれか一方のみが前記回折格子によって回折されることを特徴としている。
【００１４】
また、本発明は、上記構成の光ピックアップ装置において、前記２つの光源は一体化されて、略同一の位置から前記２種類の光ビームを出射することを特徴としている。
【発明の効果】
【００１５】
本発明の第１の構成によれば、ビーム整形素子の反射面に所定の等間隔の格子ピッチを有し、ビーム整形素子に入射する平行光の入射方向と略直交する方向に延びる回折格子を形成することにより、ビーム整形素子において発生する色分散の影響（波長の異なる光ビームの光軸の向きが異なる向きとなる）を防止する構成となっている。このため、光源の配置調整によって色分散の影響を抑止する従来の構成に比べ、光ピックアップ装置の組立て作業時の負担を軽減できる。また、ビーム整形素子に立ち上げミラーの役割も担わせることが可能なために、複数の波長に対して、部品点数を増加させずにＲＩＭ強度の高い良好なスポットを与えることが可能な光ピックアップ装置を提供できる。
【００１６】
また、本発明の第２の構成によれば、ビーム整形素子の反射面に回折格子を形成することにより、ビーム整形素子において発生する色分散の影響（波長の異なる光ビームの光軸の向きが異なる向きとなる）を防止する構成となっている。このため、光源の配置調整によって色分散の影響を抑止する従来の構成に比べ、光ピックアップ装置の組立て作業時の負担を軽減できる。また、ビーム整形素子に立ち上げミラーの役割も担わせることが可能なために、複数の波長に対して、部品点数を増加させずにＲＩＭ強度の高い良好なスポットを与えることが可能な光ピックアップ装置を提供できる。
【００１７】
また、本発明の第３の構成によれば、上記第２の構成の光ピックアップ装置において、ビーム整形素子に形成する回折パターンは単純な構成であるために実現容易である。
【００１８】
また、本発明の第４の構成によれば、上記第３の構成の光ピックアップ装置において、回折格子をブレーズ化し、光源から出射される波長が異なる２つの光ビームのうち、いずれか一方についてのみ回折格子で回折する構成であるために、色分散の影響を抑止するに当たって、光の損失を低減することが可能である。
【００１９】
また、本発明の第５の構成によれば、上記第２から第４のうちのいずれかの構成の光ピックアップ装置において、ビーム整形素子で生じる色分散の影響をビーム整形素子に設けた回折格子で抑制する構成であるために、２つの光源の配置について色分散の影響を抑止するための調整を行う必要がない。このため、２つの波長を出射する光源を一つに纏めた構成としている。従って、光源を複数の位置に配置する場合に比べて光ピックアップ装置の小型化を図ることが可能となる。
【発明を実施するための最良の形態】
【００２０】
以下において、本発明の内容について図面を参照しながら詳細に説明する。ただし、ここで示す実施形態は一例であり、本発明はここに示す実施形態に限定されるものではない。
【００２１】
図１は、本実施形態の光ピックアップ装置の光学系の構成を示した概略図である。本実施形態の光ピックアップ装置１は、ＢＤ／ＤＶＤの２種類の光記録媒体１１を互換可能に設けられている。光ピックアップ装置１は、第１光源２と、第２光源３と、ダイクロプリズム４と、コリメートレンズ５と、ビームスプリッタ６と、ビーム整形ミラー７と、対物レンズ８と、集光レンズ９と、光検出器１０と、を備える。なお、図１においては、第１光源２から出射されるレーザ光についてのみその光路を示し、第２光源３から出射されるレーザ光の光路は省略している。
【００２２】
第１光源２は、単一の波長を出射するレーザダイオードで、ＢＤに用いられる波長４０５ｎｍ帯のレーザ光を出射する。第２光源３は、単一の波長を出射するレーザダイオードで、ＤＶＤ用いられる波長６５０ｎｍ帯のレーザ光を出射する。第１光源２及び第２光源３を出射したレーザ光は、ダイクロプリズム４に送られる。
【００２３】
ダイクロプリズム４は、第１光源２から出射されたレーザを透過し、第２光源３から出射されたレーザ光を反射する。なお、第１光源２と第２光源３とは、ダイクロプリズム４を通過した後のレーザ光の光軸が略同一となるように配置されている。ダイクロプリズム４を通過したレーザ光は、コリメートレンズ５に送られる。
【００２４】
コリメートレンズ５は、第１光源２及び第２光源から出射された発散光を光軸と略平行な平行光へと変換する。コリメートレンズ５を透過したレーザ光はビームスプリッタ６へと送られる。
【００２５】
ビームスプリッタ６は、第１光源２及び第２光源３から出射されたレーザ光を透過して光記録媒体１１に導くとともに、光記録媒体１１の記録面１１ａからの反射光を反射して光検出器１０側へと導く。光源２、３から出射され、ビームスプリッタ６を透過したレーザ光はビーム整形ミラー７へと送られる。
【００２６】
ビーム整形ミラー７は、光源２、３から出射された楕円形状の光強度分布を有するレーザ光について、その光強度分布を円形に近づける機能を有する。また、ビーム整形ミラー７は、ビームスプリッタ６から送られてきたレーザ光を反射面において反射し、光源２、３から出射されたレーザ光の向きを光記録媒体１１に向かって立ち上げる立ち上げミラーとしての機能も有する。
【００２７】
また、ビーム整形ミラー７においては、波長の異なるレーザ光が入射した場合に、ビーム整形ミラー７を形成する透明部材の色分散によって屈折角度に差が生じて、反射されたレーザ光の光軸の向きが互いに異なるという現象が発生するが、これを補正する機能も付与されている。ビーム整形ミラー７の構成の詳細については後述する。ビーム整形ミラー７で反射されたレーザ光は対物レンズ８へと送られる。
【００２８】
対物レンズ８は、入射したレーザ光を光記録媒体１１の記録面１１ａに集光する。対物レンズ８は図示しないアクチュエータに搭載されており、このアクチュエータによって、少なくとも対物レンズ８の光軸と平行な方向であるフォーカス方向と、光記録媒体１１の半径方向と平行な方向であるトラッキング方向と、に移動可能となっており、これにより対物レンズ８のフォーカス位置が常に記録面１１ａに合うように、また、対物レンズ８によって集光されるレーザ光のスポット位置が光記録媒体１１に形成されるトラックに追従するようになっている。
【００２９】
光記録媒体１１で反射された反射光は、対物レンズ８を透過してビーム整形ミラー７で反射され、ビームスプリッタ６によって更に反射される。ビームスプリッタ６で反射された反射光は、集光レンズ９によって集光されて光検出器１０の受光領域（図示しない）に集光する。
【００３０】
光検出器１０は、図示しない受光領域で受光した光信号を電気信号へと変換する役割を果たす。そして、光検出器１０からの電気信号は、情報を再生するための再生信号や、対物レンズ８のフォーカス調整やトラッキング調整を行うためのフォーカスエラー信号やトラッキングエラー信号等として利用される。
【００３１】
次に、本実施形態のビーム整形ミラー７について説明する。図２は、本実施形態のビーム整形ミラー７の構成を示す図で、図２（ａ）はビーム整形ミラー７の構成を示す概略斜視図、図２（ｂ）はビーム整形ミラーの構成を示す概略断面図、図２（ｃ）は図２（ｂ）の破線の円で囲んだ部分の拡大図である。
【００３２】
ビーム整形ミラー７は、ガラスや透明樹脂等の透明部材からなっており、台形状に形成されて非平行な関係となる入射面７ａと反射面７ｂとを有する。反射面７ｂの反射機能は、透明部材に金属や誘電体多層膜等を形成することにより得ている。この入射面７ａと反射面７ｂとの配置関係は、ビーム整形ミラー７でビーム整形するレーザ光（楕円形状の光強度分布を有する）の光強度分布の分布状態、透明部材の屈折率、ビーム整形ミラー７に入射するレーザ光の入射角等を勘案して適宜決められる。
【００３３】
また、ビーム整形ミラー７の反射面７ｂには、図２（ｂ）の紙面方向に延びる回折格子１２が形成されている。この回折格子は、図２（ｃ）に示すように、各々が同一の幅Ｗａを有する凹部と、各々が同一の幅Ｗｂを有する凸部と、が交互に配置されるようにパターン形成されており、｛Ｗａ／（Ｗａ＋Ｗｂ）｝として定義されるデューティ比が０．５となっている。すなわち、反射面７ｂに形成される回折格子１２は、格子ピッチが所定の等間隔となっている。なお、図２（ｃ）において斜線で示す部分はビーム整形ミラー７を構成する透明部材を示している。
【００３４】
このように形成されるビーム整形ミラー７は、光ピックアップ装置１おいて、平行光が入射される位置に配置され、また、反射面７ｂに形成される回折格子１２が、光源２、３から出射され平行光に変換されたレーザ光の入射方向と略直交する方向に延びるように配置されている。
【００３５】
光ピックアップ装置１をこのように構成した場合、光源２、３から出射される光強度分布が楕円形状のレーザ光は、図３に示すように短軸方向が引き伸ばされて、その光強度分布が円形に近づくようにビーム整形される。これにより高いＲＩＭ強度を得て、光記録媒体１１の記録面１１ａに良好なスポットを形成することが可能となる。
【００３６】
なお、図３は、本実施形態のビーム整形ミラー７によって光源２、３から出射されたレーザ光がビーム整形される様子を模式的に示した図である。図３において、Ｘ（Ｘ´）、Ｙ（Ｙ´）は、図１の示すＸ（Ｘ´）方向（図１において紙面方向）とＹ（Ｙ´）方向とに対応している。
【００３７】
ビーム整形ミラー７に入射した波長の異なるレーザ光λ１、λ２（本実施形態では、λ１がＢＤ用の波長４０５ｎｍのレーザ光に、λ２がＤＶＤ用の波長６５０ｎｍのレーザ光に該当する。）は、ビーム整形ミラー７を構成する透明部材の色分散によって屈折角度に差が生じ、図４に示すように反射面７ｂに入射する角度にずれが生じる。しかし、ビーム整形ミラー７には、回折格子１２が設けられ、レーザ光λ１、λ２はそれぞれ異なる所定の方向に回折されるために、反射面７ｂで反射される波長λ１とλ２のレーザ光の光軸の向きが略同一となる。従って、従来のように光源２、３の配置の調整により光軸を一致させなくとも、波長の異なる２種類のレーザ光について光記録媒体１１の記録面１１ａに良好なスポットを形成することが可能となる。
【００３８】
なお、図４は、本実施形態のビーム整形ミラー７に波長の異なる２種類のレーザ光が入射された場合のレーザ光の挙動を示す模式図である。また、ビーム整形ミラー７に入射して反射される波長λ１と波長λ２のレーザ光は、若干の光軸ずれｄを起こすためにコマ収差の影響が問題となるが、これは対物レンズ８の構成等により許容できる範囲である。
【００３９】
次に、ビーム整形ミラー７の回折格子１２の構成について、図５に示すシミュレーション結果に基づいて説明する。なお、図６は、ビーム整形ミラー７の回折格子の構成をシミュレーションする場合に用いるパラメータについて説明する説明図であり、図６も参照しながら以下説明する。
【００４０】
まず、シミュレーションを行うにあたって、ビーム整形ミラー７に入射するレーザ光の波長は４０５ｎｍ及び６５０ｎｍ、ビーム整形ミラー７を構成する透明部材の材質はＰＭＭＡ（Polymetyl-Methacrylate；ポリメチルメタクリレート）、入射面７ａと反射面７ｂの最大厚さは３ｍｍ、として計算を行った。なお、ＰＭＭＡは、ｎｄ（Ｄ線の屈折率）＝１．４９、Ｖｄ（アッベ数）＝５８として計算した。
【００４１】
シミュレーションは、入射面７ａと反射面７ｂとのなす角であるくさび角（図６参照）と、反射面７ｂに入射する光の入射方向と反射面７ｂに対する法線とのなす角である入射各（図６参照）と、を予め設定し、反射面７ｂに形成する回折格子１２の格子ピッチと回折次数を変化させながら、ビーム整形ミラー７に入射し、反射面７ｂで回折されて反射するレーザ光が形成するビームスポットをそれぞれの波長について観察し、観察結果から２種類の波長のレーザ光の光軸の向きが略同一となる条件を決定する手法で行った。
【００４２】
なお、くさび角は、入射面７ａと反射面７ｂの関係が図５（ａ）の場合にプラス、図５（ｂ）の場合にマイナスとした。また、入射角は、ビーム整形ミラー７に入射する入射光と反射面７ｂで反射される反射光とがなす角がなるべく９０度となるように調整した。
【００４３】
シミュレーションの結果により、各くさび角の場合で、回折次数と格子ピッチを適切に選ぶことより、色分散の影響を補正して波長が異なる２種のレーザ光の光軸の向きを略同一とすることが可能であることがわかった。くさび角については、くさび角の設定によってビーム整形比が大きく変わるために、使用光源等によって異なるレーザ光の光強度分布の状態を考慮して、くさび角の選定を行えば良い。
【００４４】
なお、図５におけるビーム整形比は、ビーム整形ミラー７によってビーム整形した場合における、Ｘ方向とＹ方向の伸び率（Ｘ、Ｙ方向は図３参照）を比で表したものである。また、本実施形態の光ピックアップ装置１では、ビーム整形ミラー７によって短軸を引き伸ばしてビーム整形する構成となっているが、図５に示すように、くさび角の調整によってビームの一方向を圧縮することも可能であり、ビーム整形ミラー７を例えば図６（ｂ）に示されるような構成として、レーザ光の長軸を圧縮してビーム整形する構成としても良い。
【００４５】
以上に示したビーム整形ミラー７では、回折格子１２が２種類の波長のレーザ光の両方を回折し、両波長の回折光の光軸が略同一の向きとなる構成であるが、これに限定される趣旨ではない。すなわち、ビーム整形ミラー７に形成される回折格子１２を２種類のレーザ光のうち、いずれか一方の波長のレーザ光についてのみ回折する構成として、ビーム整形ミラー７から対物レンズ８へと向かう２種類のレーザ光の光軸の向きを揃える構成としても構わない。
【００４６】
特に、回折格子１２に形成する回折溝を、例えば図７に示すような鋸歯状溝としてブレーズ化し、ブレーズ角θ（回折格子の表面に立てた法線と、一本一本の溝の面に対する法線とのなす角）の選択により２波長のうちいずれか一方の波長のみを回折して、ビーム整形ミラー７から対物レンズ８へと向かう２種類のレーザ光の光軸の向きを揃えるようにした場合、ブレーズ化により回折効率が向上するために、回折光を用いても光量の損失を小さくできる。このため、光ピックアップ装置における光の利用効率の向上という観点からは、このような構成が好ましい。
【００４７】
また、以上に示した光ピックアップ装置１においては、ＢＤ用の光源２とＤＶＤ用の光源３とを、２つの異なる位置に配置する構成としたが、この構成に限定される趣旨ではなく、例えば、ＢＤ及びＤＶＤ用の光源を、２種類の波長のレーザ光を出射できるように２つの発光点を有する２波長対応のレーザダイオードとし一体化し、光源を一箇所に配置する構成としても構わない。このようにすることにより、光ピックアップ装置の小型化を図ることができる点で好ましい。
【００４８】
その他、本実施形態の光ピックアップ装置１は、ＢＤとＤＶＤを互換する構成であるが、これに限定される趣旨ではなく、本発明は異なる波長を使用する２種類の光記録媒体に対応する光ピックアップ装置に広く適用可能であるのは言うまでもない。
【産業上の利用可能性】
【００４９】
本発明によれば、２種類の波長に対応する光ピックアップ装置において、部品点数を増加せることなく高いＲＩＭ強度を確保でき、装置組立て時の作業負担を低減できる。このため、２種類の光記録媒体に互換可能な光ピックアップ装置として有用である。
【図面の簡単な説明】
【００５０】
【図１】は、本実施形態の光ピックアップ装置の光学系の構成を示した概略図である。
【図２】は、本実施形態の光ピックアップ装置が備えるビーム整形ミラーの構成を示す図である。
【図３】は、本実施形態のビーム整形ミラーによって光源から出射されたレーザ光がビーム整形される様子を模式的に示した図である。
【図４】は、本実施形態のビーム整形ミラーに波長の異なる２種類のレーザ光が入射された場合のレーザ光の挙動を示す模式図である。
【図５】は、本発明に係るビーム整形ミラーの回折格子の構成に関してシミュレーションを行った結果を示すテーブルである。
【図６】は、ビーム整形ミラーの回折格子の構成に関してシミュレーションを行う際に用いるパラメータを説明するために説明図である。
【図７】は、本実施形態のビーム整形ミラーの回折格子の構成に関する変形例である。
【図８】は、従来の構成のビーム整形素子の問題点を説明する説明図である。
【符号の説明】
【００５１】
１              光ピックアップ装置
２              第１光源
３              第２光源
５              コリメートレンズ（平行光変換手段）
７              ビーム整形ミラー（ビーム整形素子）
７ａ            入射面
７ｂ            反射面
８              対物レンズ（集光手段）
１０            光検出器（光検出手段）
１１            光記録媒体
１１ａ          記録面
１２            回折格子
【図１】
2008052825.tif 000003
【図２】
2008052825.tif 000004
【図３】
2008052825.tif 000005
【図４】
2008052825.tif 000006
【図５】
2008052825.tif 000007
【図６】
2008052825.tif 000008
【図７】
2008052825.tif 000009
【図８】
2008052825.tif 000010